(57)【特許請求の範囲】
【請求項１】
葺設された屋根瓦の下面側に棟軒方向に延びる通気路が形成され、屋根下地の軒先部に軒先瓦を下面側において支持して軒先瓦面戸が取付けられ、軒先瓦の先端部の断面Ｌ字状の垂下片と軒先瓦面戸との間に通気間隔が形成され、垂下片にて覆われた軒先瓦面戸の部分に上記通気路に連通する通気孔が形成されて成ることを特徴とする軒先の換気構造。
【請求項２】
屋根瓦及び軒先瓦は山と谷が形成された波付け瓦であり、波付け瓦の下面に山と谷に略合致する断熱性を備えたバックアップ材が敷設され、バックアップ材の山部に通気路が形成されて成ることを特徴とする請求項１記載の軒先の換気構造。
【請求項３】
バックアップ材における通気路は、溝又は通孔であることを特徴とする請求項１記載の軒先の換気構造。
【請求項４】
通気孔には雨水の浸入を防止する切起こし片が形成されて成ることを特徴とする請求項１記載の軒先の換気構造。
【請求項５】
通気孔は軒先瓦面戸の上端部に形成されていることを特徴とする請求項１記載の軒先の換気構造。
【請求項６】
屋根瓦及び軒先瓦を保持する横桟材に軒棟方向の通気用孔が形成されて成ることを特徴とする請求項１の軒先の換気構造。
【発明の詳細な説明】
【０００１】
【発明の属する技術分野】
本発明は、軒先の換気構造に関し、詳しくは、例えば、金属製の屋根瓦の下面側において換気を図りながら、換気のための通気孔に雨水が浸入するのを防止しようとする技術に係るものである。
【０００２】
【従来の技術】
従来、図１４に示すように、例えば、金属製で山と谷が形成された波付け瓦を使用する屋根瓦１ａの下面側に通気路２ａが形成され、軒先瓦面戸４ａを軒先部に固定し、面戸部分４ｂに通気孔８ａが形成されて通気を図るものである。
【０００３】
【発明が解決しようとする課題】
ところで、このような構成においては、面戸部分４ｂに形成した通気孔８ａより雨水が容易に通気路２ａに浸入するものである。
【０００４】
本発明はこのような問題に鑑みてなされたものであり、例えば、金属製の屋根瓦の下面側において換気を図りながら、換気のための通気孔に雨水が浸入するのを防止ことができる軒先の換気構造を提供することを課題とするものである。
【０００５】
【課題を解決するための手段】
請求項１においては、葺設された屋根瓦１の下面側に棟軒方向に延びる通気路２が形成され、屋根下地３の軒先部に軒先瓦５を下面側において支持して軒先瓦面戸４が取付けられ、軒先瓦５の先端部の断面Ｌ字状の垂下片６と軒先瓦面戸４との間に通気間隔７が形成され、垂下片６にて覆われた軒先瓦面戸４の部分に上記通気路２に連通する通気孔８が形成されていることを特徴とするものである。このような構成によれば、屋根瓦１の下面側に形成された通気路２において通気を図って、例えば、金属製の屋根瓦１の温度上昇を防止しながら、軒先瓦面戸４側の面戸部分に形成した通気孔８の軒先側には通気間隔７を隔てて軒先瓦５の垂下片６が存在していて、通気孔８から雨水が吹き込まれることがない。
【０００６】
請求項２においては、屋根瓦１及び軒先瓦５は山９と谷１０が形成された波付け瓦１１であり、波付け瓦１１の下面に山９と谷１０に略合致する断熱性を備えたバックアップ材１２が敷設され、バックアップ材１２の山部１３に通気路２が形成されていることを特徴とするものである。このような構成によれば、バックアップ材１２によって断熱性を図るとともに、バックアップ材１２を有効に利用して通気路２が形成されて良好な通気を図ることができ、屋根瓦１の昇温を、一層、抑えることができる。
【０００７】
請求項３においては、バックアップ材１２における通気路２は、溝１４又は通孔１５であることを特徴とするものである。このような構成によれば、通気路２を溝１４にすることで通気路２の形成が容易であり、通孔１５であれば通気効率を高めることができる。
【０００８】
請求項４においては、通気孔８には雨水の浸入を防止する切起こし片１６が形成されていることを特徴とするものである。このような構成によれば、切起こし片１６によって通気孔８に雨水が浸入するのを、一層、防止することができる。
【０００９】
請求項５においては、通気孔８は軒先瓦面戸４の上端部に形成されていることを特徴とするものである。このような構成によれば、通気孔８に雨水が浸入するのを、一層、防止することができる。
【００１０】
請求項６においては、屋根瓦１及び軒先瓦５を保持する横桟材１７に軒棟方向の通気用孔１８が形成されていることを特徴とするものである。このような構成によれば、横桟材１７によって屋根瓦１及び軒先瓦５を強固に保持しながら、横桟材１７に形成した通気用孔１８においても通気を図ることができ、屋根瓦１の裏面側の通気を高めて屋根瓦１の昇温を、一層、防止することができる。
【００１１】
【発明の実施の形態】
以下、本発明の実施の形態を説明する。図１は軒先部分の概略断面図である。図２は屋根瓦の接続部分の概略断面図である。図３は概略断面図である。図４（ａ）は屋根瓦の斜視図、同図（ｂ）は軒先瓦５の斜視図、同図（ｃ）は軒先瓦面戸４の斜視図である。図５は棟部の概略断面図である。
【００１２】
垂木２０の上に野地板２１が敷設された屋根下地３の上にアスファルトルーフィング１９が敷設され、その上から横桟材１７が屋根瓦１の棟軒方向の間隔に略等しい間隔を隔てて釘打ち等にて固定される。
【００１３】
軒先瓦５及び屋根瓦１は、例えば、金属製であり、山９と谷１０が形成された波付け瓦１１であり、図４（ａ）（ｂ）に示すように、棟側に係止段部２４が形成され、軒側に覆い段部３０が形成されている。
【００１４】
軒先瓦５及び屋根瓦１の下面には、例えば、耐熱性、断熱性、自己消火性を備えた合成樹脂発泡体製のバックアップ材１２が敷設される。バックアップ材１２の表面の形状は波付け瓦１１の山９と谷１０の下面に略合致するように山部１３と谷部２５が形成されている。
【００１５】
軒先瓦面戸４は図４（ｃ）に示すように、正面視において山と谷が交互に形成されていて軒先瓦５の先端下面に沿うように敷設され、軒先瓦５の軒側の下面開口を閉塞するものである。軒先瓦面戸４には固定片２６が形成され、水返し２９が形成されている。
【００１６】
軒先部の施工は以下のようにおこなわれる。図１、図２及び図１２（ａ）に示すように、軒先部において屋根下地３上に軒先桟木２７を固定し、軒先桟木２７及び当木２８にに軒先瓦面戸４を当接させて固定片２６において釘打ちして固定する。バックアップ材１２を下に敷きながら軒先瓦５を棟側の係止段部２４を横桟材１７に係止するともに吊子２２を載せて釘打ちにて固定する。軒先瓦５の軒先部は軒先部軒先瓦面戸４にて支持される。軒先瓦５の係止段部２４の上に屋根瓦１の覆い段部３０が係合して屋根瓦１が葺設される。屋根瓦１の下面にバックアップ材１２が敷設される。
【００１７】
棟側の施工は以下のようにおこなわれる。図５、図６及び図１２（ｂ）に示すように、棟側の横桟木１７に屋根瓦１の係止段部２４が係止され、係止段部２４の上に合成樹脂製面戸３１が載置されて合成樹脂製面戸３１の上面を平坦な面にし、合成樹脂製面戸３１の上に棟桟３２を載置して棟桟３２を横桟木１７に釘打ち固定する。
【００１８】
通気棟カバー３３は、外部部材３４、内部部材３５及び下部部材３６をリベット３７による接続やスポット溶接して一体化したものであり、屋根瓦１の下面側の通気路２からの通気を通気棟カバー３３に形成した排気口３８より外部に排出するようにしている。符号４３は排水孔である。このような通気棟カバー３３は釘４４にて棟桟３２に固定される。
【００１９】
本発明は上記バックアップ材１２を利用して軒先瓦５及び屋根瓦１の下面の棟部に通じる通気路２を形成して通気を図るとともに軒先側から通気路２に雨水が浸入しないようにしたものである。以下、詳述する。
【００２０】
図７及び図８に示すように、バックアップ材１２の山部１３には切欠き３９、３９が形成されて凸部４０が残されて通気路２が形成されるようにしている。このような切欠き３９は谷部に形成してもよいものであり、又、図１１（ａ）に示すように、溝１４にて形成しても、同図（ｂ）に示すように、丸孔の通孔１５にて形成しても、更に、同図（ｃ）に示すように、角孔の通孔１５にて形成してもよいものである。軒先瓦面戸４の山部の上端部には通気孔８が形成されている。
【００２１】
本発明においては、葺設された屋根瓦１の下面側に棟軒方向に延びる通気路２が形成されるのであり、軒先瓦５の先端部の係止段部２４における垂下片６と軒先瓦面戸４との間に通気間隔７が形成されるのであり、垂下片６にて覆われた軒先瓦面戸部分に上記通気路２に連通する通気孔８が形成されるものである。
【００２２】
しかして、屋根瓦１の下面側に形成された通気路２において軒側から棟部に向けて通気を図って、金属製の屋根瓦１の温度上昇を防止しながら、軒先瓦面戸４側の面戸部分に形成した通気孔８の軒先側には通気間隔７を隔てて軒先瓦５の垂下片６が存在していて、通気孔８から雨水が吹き込まれることがないものである。
【００２３】
更に、屋根瓦１及び軒先瓦５の下面の山９と谷１０に略合致する断熱性を備えたバックアップ材１２が敷設されるのであり、バックアップ材１２の山部１３に通気路２が形成されるのであり、バックアップ材１２によって断熱性を図るとともに、バックアップ材１２を有効に利用して通気路２が形成されて良好な通気を図ることができ、屋根瓦１の昇温を、一層、抑えることができるものである。
【００２４】
しかも、バックアップ材１２における通気路２は、溝１４又は通孔１５であることから、通気路２を溝１４にすることで通気路２の形成が容易であり、通孔１５であれば通気効率を高めることができるものである。
【００２５】
ところで、軒先瓦面戸４の通気孔８には雨水の浸入を防止する切起こし片１６が形成されているのであり、切起こし片１６によって通気孔８に雨水が浸入するのを、一層、防止することができるものである。
【００２６】
更に、図１３に示すように、屋根瓦１及び軒先瓦５を保持する横桟材１７に軒棟方向の通気用孔１８が形成されていてもよく、このような実施の形態においては、横桟材１７によって屋根瓦１及び軒先瓦５を強固に保持しながら、横桟材１７に形成した通気用孔１８においても通気を図ることができ、屋根瓦１の裏面側の通気を高めて屋根瓦１の昇温を、一層、防止することができるものである。
【００２７】
【発明の効果】
請求項１においては、葺設された屋根瓦の下面側に棟軒方向に延びる通気路が形成され、屋根下地の軒先部に軒先瓦を下面側において支持して軒先瓦面戸が取付けられ、軒先瓦の先端部の断面Ｌ字状の垂下片と軒先瓦面戸との間に通気間隔が形成され、垂下片にて覆われた軒先瓦面戸の部分に上記通気路に連通する通気孔が形成されているから、屋根瓦の下面側に形成された通気路において通気を図って、例えば、金属製の屋根瓦の温度上昇を防止しながら、軒先瓦面戸側の面戸部分に形成した通気孔の軒先側には通気間隔を隔てて軒先瓦の垂下片が存在していて、通気孔から雨水が吹き込まれることがないという利点がある。
【００２８】
請求項２においては、請求項１の構成に加えて、屋根瓦及び軒先瓦は山と谷が形成された波付け瓦であり、波付け瓦の下面に山と谷に略合致する断熱性を備えたバックアップ材が敷設され、バックアップ材の山部に通気路が形成されているから、請求項１の効果に加えて、バックアップ材によって断熱性を図るとともに、バックアップ材を有効に利用して通気路が形成されて良好な通気を図ることができ、屋根瓦の昇温を、一層、抑えることができるという利点がある。
【００２９】
請求項３においては、請求項１の構成に加えて、バックアップ材における通気路は、溝又は通孔であるから、請求項１の効果に加えて、通気路を溝にすることで通気路の形成が容易であり、通孔であれば通気効率を高めることができるという利点がある。
【００３０】
請求項４においては、請求項１の構成に加えて、通気孔には雨水の浸入を防止する切起こし片が形成されているから、請求項１の効果に加えて、切起こし片によって通気孔に雨水が浸入するのを、一層、防止することができるという利点がある。
【００３１】
請求項５においては、請求項１の構成に加えて、通気孔は軒先瓦面戸の上端部に形成されているから、請求項１の効果に加えて、通気孔に雨水が浸入するのを、一層、防止することができるという利点がある。
【００３２】
請求項６においては、請求項１の構成に加えて、屋根瓦及び軒先瓦を保持する横桟材に軒棟方向の通気用孔が形成されているから、請求項１の効果に加えて、横桟材によって屋根瓦及び軒先瓦を強固に保持しながら、横桟材に形成した通気用孔においても通気を図ることができ、屋根瓦の裏面側の通気を高めて屋根瓦の昇温を、一層、防止することができるという利点がある。
【図面の簡単な説明】
【図１】本発明の実施の形態の軒先部分の概略断面図である。
【図２】同上の屋根瓦の接続部分の概略断面図である。
【図３】同上の概略断面図である。
【図４】（ａ）は同上の屋根瓦の斜視図、（ｂ）は軒先瓦の斜視図、（ｃ）は軒先瓦面戸の斜視図である。
【図５】同上の棟部の概略断面図である。
【図６】同上の通気棟カバーの部分概略断面図である。
【図７】同上のバックアップ材の正面図である。
【図８】同上の平面図である。
【図９】同上の横方向の接続状態を示す断面図である。
【図１０】同上の概略分解斜視図である。
【図１１】（ａ）（ｂ）（ｃ）は同上の他の実施の形態のバックアップ材の部分斜視図である。
【図１２】（ａ）は同上の軒部の分解斜視図、（ｂ）は棟部の概略斜視図である。
【図１３】同上の他の実施の形態の横桟材の斜視図である。
【図１４】従来例を示し、（ａ）は概略断面図、（ｂ）は斜視図である。
【符号の説明】
１  屋根瓦
２  通気路
３  屋根下地
４  軒先瓦面戸
５  軒先瓦
６  垂下片
７  通気間隔
８  通気孔
【図１】
0003685050.tif 000002
【図２】
0003685050.tif 000003
【図３】
0003685050.tif 000004
【図４】
0003685050.tif 000005
【図５】
0003685050.tif 000006
【図６】
0003685050.tif 000007
【図７】
0003685050.tif 000008
【図８】
0003685050.tif 000009
【図９】
0003685050.tif 000010
【図１０】
0003685050.tif 000011
【図１１】
0003685050.tif 000012
【図１２】
0003685050.tif 000013
【図１３】
0003685050.tif 000014
【図１４】
0003685050.tif 000015